(57)【特許請求の範囲】
【請求項１】
目地部を介して設けられた左右の床躯体の、目地部側の左右の床躯体にほぼ水平に固定された左右のレールと、この左右のレールに傾斜状態で両端部がスライド移動可能に取付けられた少なくとも２個以上の桁材と、この少なくとも２個以上の桁材のほぼ中央部に枢支ピンで枢支された中央タルキ材と、この中央タルキ材と左右の床躯体間の、前記少なくとも２個以上の桁材に一定間隔で枢支された複数個の左右のタルキ材と、前記少なくとも２個以上の桁材のほぼ中央部を常時目地部の中央部に位置させるように、該少なくとも２個以上の桁材の中央枢支部が枢支ピンで枢支され、両端部が、前記左右の床躯体に枢支されたパンタグラフ形状の伸縮リンク機構と、前記複数個の左右のタルキ材および前記中央タルキ材にそれぞれ支持された、これらのタルキ材のそれぞれ隣り合うタルキ材の中央部間のほぼ２分の１の幅寸法の目地プレート、この目地プレートの一端部より外方へ突出して、隣りの目地プレート上をスライド移動する、該目地プレートの幅寸法とほぼ同一幅寸法の目地カバーとからなる複数個の目地カバー体とからなることを特徴とする床用目地装置。
【請求項２】
目地部を介して設けられた左右の床躯体の、目地部側の左右の床躯体にほぼ水平に固定された左右のレールと、この左右のレールに傾斜状態で両端部がローラを介してスライド移動可能に取付けられた少なくとも２個以上の桁材と、この少なくとも２個以上の桁材に一定間隔で取付けられた枢支ピンに中央部が枢支された５個あるいは７個のタルキ材と、この５個あるいは７個のタルキ材の中央部のタルキ材に中央枢支部が枢支され、両端部が前記左右の床躯体に枢支された中央維持リンク機構と、前記複数個のタルキ材にそれぞれ支持された、前記枢支ピンの間隔のほぼ２分の１の幅寸法の目地プレート、この目地プレートの一端部より外方へ突出して、隣りの目地プレート上をスライド移動する、該目地プレートの幅寸法とほぼ同じ幅寸法の目地カバーとからなる複数個の目地カバー体とからなることを特徴とする床用目地装置。
【請求項３】
複数個の目地カバー体は金属材で浅い長方形状の箱状に形成された目地プレートケースと、この目地プレートケース内に設置された上面が平坦な石材、タイル、モルタル等の目地プレート材と、前記目地プレートケースの一端部より外方へ底面が、前記目地プレート材の上面と同一面となるように一体形成された目地カバーとで構成されていることを特徴とする請求項１、２いずれかに記載の床用目地装置。
【発明の詳細な説明】
【技術分野】
【０００１】
本発明は目地部を介して設けられた左右の床躯体間を覆う床用目地装置に関する。
【背景技術】
【０００２】
従来の左右の床躯体間を覆う目地装置は、目地部の幅寸法の２倍程の大きな目地プレートを用いたり、複数枚の目地プレートを順次重ね合わせて伸縮可能にする構成になっている。
【０００３】
このため、大きな目地プレートを用いる場合に、ぞの設置作業が大変で、コスト高になるという欠点があった。
また、順次重ね合わせる目地プレートでは、重ね合わせのはじめと終わりでは高低差が生じてしまうという欠点があった。
【特許文献１】特許第３４０９３１２号
【特許文献２】特許第３６６０５６７号
【発明の開示】
【発明が解決しようとする課題】
【０００４】
本発明は以上のような従来の欠点に鑑み、設置作業が容易で、大きな段差が生じることなく、大きな荷重が加わっても安全に使用することができる床用目地装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は目地部を介して設けられた左右の床躯体の、目地部側の左右の床躯体にほぼ水平に固定された左右のレールと、この左右のレールに傾斜状態で両端部がスライド移動可能に取付けられた少なくとも２個以上の桁材と、この少なくとも２個以上の桁材のほぼ中央部に枢支ピンで枢支された中央タルキ材と、この中央タルキ材と左右の床躯体間の、前記少なくとも２個以上の桁材に一定間隔で枢支された複数個の左右のタルキ材と、前記少なくとも２個以上の桁材のほぼ中央部を常時目地部の中央部に位置させるように、該少なくとも２個以上の桁材の中央枢支部が枢支ピンで枢支され、両端部が、前記左右の床躯体に枢支されたパンタグラフ形状の伸縮リンク機構と、前記複数個の左右のタルキ材および前記中央タルキ材にそれぞれ支持された、これらのタルキ材のそれぞれ隣り合うタルキ材の中央部間のほぼ２分の１の幅寸法の目地プレート、この目地プレートの一端部より外方へ突出して、隣りの目地プレート上をスライド移動する、該目地プレートの幅寸法とほぼ同一幅寸法の目地カバーとからなる複数個の目地カバー体とで床用目地装置を構成している。
【発明の効果】
【０００７】
以上の説明から明らかなように、本発明にあっては次に列挙する効果が得られる。
【０００８】
（１）目地部を介して設けられた左右の床躯体の、目地部側の左右の床躯体にほぼ水平に固定された左右のレールと、この左右のレールに傾斜状態で両端部がスライド移動可能に取付けられた少なくとも２個以上の桁材と、この少なくとも２個以上の桁材のほぼ中央部に枢支ピンで枢支された中央タルキ材と、この中央タルキ材と左右の床躯体間の、前記少なくとも２個以上の桁材に一定間隔で枢支された複数個の左右のタルキ材と、前記少なくとも２個以上の桁材のほぼ中央部を常時目地部の中央部に位置させるように、該少なくとも２個以上の桁材の中央枢支部が枢支ピンで枢支され、両端部が、前記左右の床躯体に枢支されたパンタグラフ形状の伸縮リンク機構と、前記複数個の左右のタルキ材および前記中央タルキ材にそれぞれ支持された、これらのタルキ材のそれぞれ隣り合うタルキ材の中央部間のほぼ２分の１の幅寸法の目地プレート、この目地プレートの一端部より外方へ突出して、隣りの目地プレート上をスライド移動する、該目地プレートの幅寸法とほぼ同一幅寸法の目地カバーとからなる複数個の目地カバー体とで構成されているので、上面は目地カバーの厚さ分だけの段差となり、大きな段差が生じない。
このため、安全に使用することができる。
【０００９】
（２）前記（１）によって、少なくとも２個以上の桁材に、一定間隔で取付けられたタルキ材にそれぞれ目地カバー体を取付けているので、大きな荷重が加わっても安全に使用することができるとともに、大きくて重い部品を使用しなくてもよいので、設置作業を容易に行なうことができる。
【００１０】
（３）前記（１）によって、目地部の幅寸法のほぼ半分が伸縮するように左右の床躯体が地震等によって揺れ動いても、その揺れ動きを損傷することなく吸収することができる。
【００１１】
（４）請求項２、３も前記（１）〜（３）と同様な効果が得られる。
【発明を実施するための最良の形態】
【００１２】
以下、図面に示す本発明を実施するための最良の形態より、本発明を詳細に説明する。
【００１３】
図１ないし図１０に示す本発明を実施するための最良の第１の形態において、１は目地部２を介して設けられた左右の床躯体３、３間の目地部２を覆う本発明の床用目地装置で、この床用目地装置１は前記目地部側の左右の床躯体３、３にほぼ水平に固定された左右のレール４、４と、この左右のレール４、４に通常時にはほぼ４５度の傾斜状態で両端部がスライド移動可能に取付けられた少なくとも２個以上の桁材５、５と、少なくとも２個以上の桁材５、５のほぼ中央部に中央枢支ピン６、６で枢支された四角柱状の中央タルキ材７と、この中央タルキ材７と左右の床躯体３、３間の前記少なくとも２個以上の桁材５、５に一定間隔で配置された枢支ピン８、８、８、８、８、８に枢支された複数個の、本発明の実施の形態では３個ずつの四角柱状の左右のタルキ材９、９、９、９、９、９と、前記少なくとも２個以上の桁材５、５のほぼ中央部に枢支された中央タルキ材７に中央枢支部１０が枢支ピン１１で枢支され、両端部が前記左右の床躯体３、３に枢支ピン１２、１２で枢支されたパンタグラフ形状の伸縮リンク機構１３と、前記複数個の左右のタルキ材９、９、９、９、９、９および前記中央タルキ材７にそれぞれ支持された、これらのタルキ材９、９、９、９、９、９、７の中央部との間のほぼ２分の１の幅寸法の目地プレート１４、この目地プレート１４の一端部より外方へ突出して隣りの目地プレート１４上をスライド移動する、該目地プレート１４の幅寸法とほぼ同じ幅寸法の目地カバー１５とからなる複数個の目地カバー体１６、１６、１６、１６、１６、１６、１６と、一端部の目地カバー体１６の目地プレート１４を覆う一方の床躯体３と他方の床躯体３に固定された端部目地カバー１７、１７Ａとで構成されている。
【００１４】
前記左右のレール４、４はクランク状に形成され、下部が複数本のビス１８によって床躯体３、３に固定されるレール本体１９と、このレール本体１９内に収納された上面より上方へ突出する複数個のローラ２０が取付けられたローラ支持体２１と、このローラ支持体２１の複数個のローラ２０に支持されるスライド移動体２２とで構成されている。
【００１５】
前記少なくとも２個以上の桁材５は四角柱状の桁材本体２３と、この桁材本体２３の両端部の底面に取付けられた、前記スライド移動体２２、２２に支持されるとともに、前記レール本体１９、１９に沿ってスライド移動する回転体２４、２４とで構成されている。
【００１６】
前記中央タルキ材７および前記複数個の左右のタルキ材９、９、９、９、９、９は四角柱状のタルキ材本体２５と、このタルキ材本体２５の中央部に形成された伸縮リンク機構挿入凹部２６と、前記少なくとも２個以上の桁材５、５にそれぞれ一定間隔で固定された枢支ピン8、8、8、6、8、８、８と枢支される２対の枢支部２８、２８、２８、２８、２８、２８、２８とで構成されている。
【００１７】
前記伸縮リンク機構１３は両端部が前記左右の床躯体３、３に枢支ピン１２、１２で枢支された中央枢支部１０が中央タルキ材７に枢支ピン１１で枢支されたパンタグラフ形状に形成されている。
【００１８】
前記複数個の目地カバー体１６、１６、１６、１６、１６、１６、１６は図６に示すように、金属材で浅い長方形状の箱状に形成された目地プレートケース２９、この目地プレートケース２９内に設置された上面が平坦な石材、タイル、モルタル等の目地プレート材３０とからなる目地プレート１４と、この目地プレート１４の目地プレートケース２９の一端部より外方へ底面が前記目地プレート材３０の上面と同一面となるように一体形成された目地カバー１５とで構成されている。
【００１９】
上記構成の床用目地装置１は通常時には図１および図２に示すように、目地部２は複数個の目地カバー体１６、１６、１６、１６、１６、１６、１６および端部目地カバー１７で覆われた状態となっている。
【００２０】
地震等によって目地部２が狭くなるように左右の床躯体３、３が揺れ動くと、図８に示すように少なくとも２個以上の桁材５、５が左右のレール４、４によって、左右の端部が広がる前後方向にスライド移動することにより、複数個の目地カバー体１６、１６、１６、１６、１６、１６、１６は少なくとも２個以上の桁材５、５にそれぞれ形成されている枢支ピン２７、２７、２７、２７、２７、２７、２７に枢支された中央タルキ材７および複数個の左右のタルキ材９、９、９、９、９、９の間隔が狭まった一定間隔となるように目地カバー体１６、１６、１６、１６、１６、１６、１６の目地プレート１４、１４、１４、１４、１４、１４、１４上を目地カバー１５、１５、１５、１５、１５、１５、１５がほぼ水平方向にスライド移動して、その揺れ動きを吸収する。
【００２１】
目地部２が広くなるように左右の床躯体３、３が地震等によって揺れ動くと、図９に示すように少なくとも２個以上の桁材５、５が左右のレール４、４によって左右の端部が狭まる前後方向にスライド移動することにより、複数個の目地カバー体１６、１６、１６、１６、１６、１６、１６は少なくとも２個以上の桁材５、５にそれぞれ形成されている枢支ピン２７、２７、２７、２７、２７、２７、２７に枢支された中央タルキ材７および複数個の左右のタルキ材９、９、９、９、９、９の間隔が広がった一定間隔となるように目地カバー体１６、１６、１６、１６、１６、１６、１６の目地プレート１４、１４、１４、１４、１４、１４、１４上を目地カバー１５、１５、１５、１５、１５、１５、１５がほぼ水平方向にスライド移動して、その揺れ動きを吸収する。
【００２２】
また、左右の床躯体３、３が異なる前後方向に揺れ動いても、少なくとも２個以上の桁材５、５のほぼ中央部が伸縮リンク機構１３で目地部２の中央部の所定位置に位置するため、目地カバー体１６、１６、１６、１６、１６、１６、１６の目地プレート１４、１４、１４、１４、１４、１４、１４と目地カバー１５、１５、１５、１５、１５、１５、１５とが、図１０に示すように前後方向にスライド移動して、その揺れ動きを吸収する。
よって、前記構成の床用目地装置１は目地カバー１５、１５、１５、１５、１５、１５、１５の厚さ寸法分の段差しかなく、異なる前後左右方向の揺れ動き時には目地プレート１４、１４、１４、１４、１４、１４、１４上を目地カバー１５、１５、１５、１５、１５、１５、１５が水平方向にスライド移動して、その揺れ動きを吸収することができる。
[発明を実施するための異なる形態]
【００２３】
次に、図１１ないし図２５に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００２４】
図１１ないし１３に示す本発明を実施するための第２の形態において、前記本発明を実施するための最良の第１の形態と主に異なる点は、中央タルキ材７と２個ずつの左右のタルキ材９、９、９、９とを用いた点で、このように構成した床用目地装置１Ａにしても、前記本発明を実施するための最良の第１の形態と同様な作用効果が得られる。
【００２５】
図１４ないし図１６に示す本発明を実施するための第３の形態において、前記本発明を実施するための最良の第１の形態と主に異なる点は、中央タルキ材７および左右のタルキ材の端部のタルキ材を除くタルキ材９、９、９、９とを少なくとも２個以上の桁材５、５に枢支ピンを用いることなく支持させるとともに、これらのタルキ材７、９、９、９、９、９、９を常時一定間隔に保つ、両端部が両端部のタルキ材９、９に枢支された少なくとも２個以上のパンタグラフ形状の伸縮リンク機構３１、３１を用いた点で、このように構成した床用目地装置１Ｂにしても、前記本発明を実施するための最良の第１の形態と同様な作用効果が得られる。
【００２６】
図１７ないし図１９に示す本発明を実施するための第４の形態において、前記本発明を実施するための最良の第１の形態と主に異なる点は、左右のタルキ材９、９、９、９、９、９を少なくとも２個以上の桁材５、５に枢支ピンを用いることなく支持させるとともに、２個のパンタグラフ形状の伸縮リンク機構３２、３２の中間枢支部３３、３３、３３、３３、３３、３３を左右のタルキ材９、９、９、９、９、９のほぼ中央部の枢支部３４、３４、３４、３４、３４、３４に枢支ピン３５、３５、３５、３５、３５、３５で枢支した点で、このように構成した床用目地装置１Ｃにしても、前記本発明を実施するための最良の第１の形態と同様な作用効果が得られる。
【００２７】
図２０ないし図２２に示す本発明者が考えた床用目地装置において、前記本発明を実施するための第３の形態と主に異なる点は、左右の床躯体３、３の目地部側の一方の床躯体３に該目地部２のほぼ２倍の幅寸法に形成されたスライド支持凹部３８と、このスライド支持凹部３８の反目地部寄りの部位に所定間隔で枢支ピン３９、３９で枢支された先端部が該スライド支持凹部３８の先端部に位置するコ字状あるいは長方形状の枠状の複数個の目地カバー支持リンク４０と、前記左右の床躯体３、３の目地部側の他方の床躯体３に形成された支持凹部４１と、この支持凹部４１に後端部が枢支ピン４２で枢支され先端部が前記複数個の目地カバー支持リンク４０間に遊びを介して前記スライド支持凹部３８のほぼ中央部に位置する複数個の目地カバー支持バー４３と、この複数個の目地カバー支持バー４３および前記複数個の目地カバー支持リンク４０に一定間隔で枢支された複数個のタルキ材９とを用いた点で、このように構成した床用目地装置１Ｄにしてもよい。
【００２８】
図２３ないし図２５に示す本発明者が考えた床用目地装置において、前記図２０ないし図２２に示す形態と主に異なる点は、スライド支持凹部３８の内底面に固定された上面に軸心が前後方向に位置するように所定間隔に配置された複数個の回転シャフト４４を有するスライド支持板４５を固定した点で、このように構成した床用目地装置１Ｅにしてもよく、前記図２０ないし図２２に示す形態と同様な作用効果が得られるとともに、よりスムーズに複数個のタルキ材９を支持する目地カバー支持リンク４０および目地カバー支持バー４３をスライド移動させることができる。
【産業上の利用可能性】
【００２９】
本発明は床用目地装置を製造する産業で利用される。
【図面の簡単な説明】
【００３０】
【図１】本発明を実施するための最良の第１の形態の平面図。
【図２】図１の２−２線に沿う断面図。
【図３】本発明を実施するための最良の第１の形態の桁材の説明図。
【図４】本発明を実施するための最良の第１の形態のタルキ材の説明図。
【図５】本発明を実施するための最良の第１の形態の伸縮リンクの説明図。
【図６】本発明を実施するための最良の第１の形態の目地カバー体の説明図。
【図７】本発明を実施するための最良の第１の形態のスライド移動体の説明図。
【図８】本発明を実施するための最良の第１の形態の目地部が狭くなる動作説明図。
【図９】本発明を実施するための最良の第１の形態の目地部が広くなる動作説明図。
【図１０】本発明を実施するための最良の第１の形態の異なる前後方向の動作説明図。
【図１１】本発明を実施するための第２の形態の平面図。
【図１２】図１１の１２−１２線に沿う断面図。
【図１３】本発明を実施するための第２の形態の目地部が広くなった動作説明図。
【図１４】本発明を実施するための第３の形態の平面図。
【図１５】図１４の１５−１５線に沿う断面図。
【図１６】本発明を実施するための第３の形態の伸縮リンク機構にタルキ材を取付けた状態の説明図。
【図１７】本発明を実施するための第４の形態の平面図。
【図１８】図１７の１８−１８線に沿う断面図。
【図１９】本発明を実施するための第４の形態の伸縮リンク機構の説明図。
【図２０】本発明者が考えた形態の平面図。
【図２１】図２０の２１−２１に沿う断面図。
【図２２】本発明者が考えた形態の複数個の目地カバー体を外した状態の平面図。
【図２３】本発明者が考えた異なる形態の平面図。
【図２４】図２３の２４−２４に沿う断面図。
【図２５】本発明者が考えた異なる形態の複数個の目地カバー体を外した状態の平面図。
【符号の説明】
【００３１】
１、  、１Ａ、１Ｂ、１Ｃ：床用目地装置、
２：目地部、        ３：床躯体、
４：レール、        ５：桁材、
６：中央枢支ピン、      ７：中央タルキ材、
８：枢支ピン、      ９：タルキ材、
１０：中央枢支部、      １１：枢支ピン、
１２：枢支ピン、      １３：伸縮リンク機構、
１４：目地プレート、    １５：目地カバー、
１６：目地カバー体、    １７：端部目地カバー、
１８：ビス、        １９：レール本体、
２０：ローラ、      ２１：ローラ支持体、
２２：スライド移動体、    ２３：桁材本体、
２４：回転体、      ２５：タルキ材本体、
２６：伸縮リンク機構挿入凹部、２７：枢支ピン、
２８：枢支部、      ２９：目地プレートケース、
３０：目地プレート材、    ３１：伸縮リンク機構、
３２：伸縮リンク機構、    ３３：中間枢支部、
３４：枢支部、      ３５：枢支ピン、
３６：端部目地カバー、    ３７：端部目地カバー、
３８：スライド支持凹部、      ３９：枢支ピン、
４０：目地カバー支持リンク、  ４１：支持凹部、
４２：枢支ピン、              ４３：目地カバー支持バー、
４４：回転シャフト、          ４５：スライド支持板。
【図１】
0004467476.tif 000002
【図２】
0004467476.tif 000003
【図３】
0004467476.tif 000004
【図４】
0004467476.tif 000005
【図５】
0004467476.tif 000006
【図６】
0004467476.tif 000007
【図７】
0004467476.tif 000008
【図８】
0004467476.tif 000009
【図９】
0004467476.tif 000010
【図１０】
0004467476.tif 000011
【図１１】
0004467476.tif 000012
【図１２】
0004467476.tif 000013
【図１３】
0004467476.tif 000014
【図１４】
0004467476.tif 000015
【図１５】
0004467476.tif 000016
【図１６】
0004467476.tif 000017
【図１７】
0004467476.tif 000018
【図１８】
0004467476.tif 000019
【図１９】
0004467476.tif 000020
【図２０】
0004467476.tif 000021
【図２１】
0004467476.tif 000022
【図２２】
0004467476.tif 000023
【図２３】
0004467476.tif 000024
【図２４】
0004467476.tif 000025
【図２５】
0004467476.tif 000026